(57)【要約】【課題】経年変化に影響されずにドレン水の凍結を抑制することができる、空気調和機の室外機を得る。【解決手段】熱交換器１と、熱交換器１の下方に設けられ、熱交換器１から落ちる水を受けるドレンパン２と、を備え、ドレンパン２は、水を排出する排水口７と、排水口７に向かって徐々に傾斜する溝５とを有し、溝５に、当該溝５の幅より小さい複数の突起６を一体形成したことを特徴とする。【選択図】図２
2014126279.tif 000002
【特許請求の範囲】
【請求項１】
熱交換器と、
前記熱交換器の下方に設けられ、前記熱交換器から落ちる水を受けるドレンパンと、
を備え、
前記ドレンパンは、
前記水を排出する排水口と、
前記排水口に向かって徐々に傾斜する溝とを有し、
前記溝に、当該溝の幅より小さい複数の突起を一体形成した
ことを特徴とする空気調和機の室外機。
【請求項２】
前記溝の平面形状は、前記熱交換器の平面投影外形を含む形状を有し、
前記溝の全面に前記突起を形成した
ことを特徴とする請求項１に記載の空気調和機の室外機。
【請求項３】
前記突起は、半球形状である
ことを特徴とする請求項１又は２に記載の空気調和機の室外機。
【請求項４】
熱交換器と、
前記熱交換器の下方に設けられ、前記熱交換器から落ちる水を受けるドレンパンと、
を備え、
前記ドレンパンは、
前記水を排出する排水口と、
前記排水口に向かって徐々に傾斜する溝とを有し、
前記溝に、当該溝の幅より小さい複数の孔を形成した
ことを特徴とする空気調和機の室外機。
【請求項５】
前記溝の平面形状は、前記熱交換器の平面投影外形を含む形状を有し、
前記溝の全面に前記孔を形成した
ことを特徴とする請求項４に記載の空気調和機の室外機。
【請求項６】
前記孔は、円形である
ことを特徴とする請求項４又は５に記載の空気調和機の室外機。
【発明の詳細な説明】
【技術分野】
【０００１】
この発明は、空気調和機の室外機に関するものである。
【背景技術】
【０００２】
従来の空気調和機の室外機においては、室外機のドレンパンに溜まったドレン水の凍結を防止するため、ドレンパンの溝に、撥水性を有するテフロン（登録商標）テープを貼り付け、ドレン水を流れやすくしている（例えば、特許文献１参照）。
【先行技術文献】
【特許文献】
【０００３】
【特許文献１】実開平６−１８８２３号公報（要約、第１図）
【発明の概要】
【発明が解決しようとする課題】
【０００４】
従来の空気調和機の室外機は、ドレンパンの溝に、撥水性を有するフッ素樹脂のテープを貼り付け、ドレン水を流れやすくしている。しかし、フッ素樹脂のテープを貼り付けている部分は常に水と接する部分であり、経年変化によってフッ素樹脂のテープの剥がれが発生し、又は撥水性が低下して、ドレン水がドレンパン上に残留し、ドレン水の凍結を防止できない、という問題点があった。
また、フッ素樹脂のテープは別部品となるため、材料費、およびそれを貼り付けるための加工費が必要となる、という問題点があった。
【０００５】
この発明は、上記のような課題を解決するためになされたもので、第１の目的は、経年変化に影響されずにドレン水の凍結を抑制することができる、空気調和機の室外機を得るものである。
また、第２の目的は、安価な構成でドレン水の凍結を抑制することができる、空気調和機の室外機を得るものである。
【課題を解決するための手段】
【０００６】
この発明に係る空気調和機の室外機は、熱交換器と、前記熱交換器の下方に設けられ、前記熱交換器から落ちる水を受けるドレンパンと、を備え、前記ドレンパンは、前記水を排出する排水口と、前記排水口に向かって徐々に傾斜する溝とを有し、前記溝に、当該溝の幅より小さい複数の突起を一体形成したことを特徴とする。
【発明の効果】
【０００７】
この発明は、ドレンパンの溝に、当該溝の幅より小さい複数の突起を一体形成した。このため、経年変化に影響されずにドレン水の凍結を抑制することができる。また、安価な構成でドレン水の凍結を抑制することができる。
【図面の簡単な説明】
【０００８】
【図１】この発明の実施の形態１における空気調和機の室外機の内部を示す斜視図である。
【図２】この発明の実施の形態１における空気調和機の室外機のドレンパンを示す平面図である。
【図３】図２におけるドレンパンのＡ−Ａ’断面図である。
【図４】図２におけるドレンパンの溝の要部拡大図である。
【図５】この発明の実施の形態２における空気調和機の室外機のドレンパンを示す平面図である。
【図６】図５におけるドレンパンのＡ−Ａ’断面図である。
【図７】図５におけるドレンパンの溝の要部拡大図である。
【発明を実施するための形態】
【０００９】
以下、本発明の実施の形態を図面に基づいて説明する。
【００１０】
実施の形態１．
図１は、この発明の実施の形態１における空気調和機の室外機の内部を示す斜視図である。
空気調和機の室外機は、送風機室１０と機械室１１とから構成されており、両室はセパレータ１２によって隔てられている。また、室外機は、底面のベース１３に取り付けられた脚部１４によって、支持されている。
【００１１】
機械室１１には、圧縮機４、冷媒配管、および電気品箱等が収容されている。室内機から送られた冷媒は圧縮機４において圧縮され、冷媒配管を通って熱交換器１に送られる。
【００１２】
送風機室１０には、冷媒と空気とを熱交換する熱交換器１と、モーターに装着された送風機３とが収容されている。熱交換器１は、送風機室１０の側面から機械室１１の背面にかけて室外機の一部を囲うように設けられている。そして、送風機３が動作することにより、熱交換器１を通過して室外機内に空気が流入し、その空気は、送風機３を通過し室外機の前方に流出する。これにより、例えば暖房運転中においては、熱交換器１内の冷媒は空気によって加熱され、熱交換器１を通過した空気は冷媒と熱交換することで冷却される。また、ベース１３は、熱交換器１から落ちる水を受けるドレンパン２を構成する。
【００１３】
図２は、この発明の実施の形態１における空気調和機の室外機のドレンパンを示す平面図である。
図３は、図２におけるドレンパンのＡ−Ａ’断面図である。
図４は、図２におけるドレンパンの溝の要部拡大図である。
ドレンパン２には、熱交換器１から落下した水（ドレン水）を、室外機の外部に排出する排水口７と、排水口７に向かって徐々に傾斜する溝５とが設けられている。溝５の平面形状は、熱交換器１の平面投影外形を含む形状を有している。例えば図２に示すように、熱交換器１の平面投影外形に対応した形状を有している。溝５は、ドレン水を流れやすくするための排水経路を構成する。
【００１４】
溝５の表面には、当該溝の幅より小さい複数の突起６が一体形成されている。複数の突起６は、溝５の全面に形成されている。複数の突起６は、例えば図４に示すように、半球形状である。この複数の突起６は、ドレンパン２を成形する際に同時に成形される。
【００１５】
次に作用について説明する。
【００１６】
例えば暖房運転中に空気が熱交換器１を通過する際に、空気中の水分が凝縮して凝縮水となって熱交換器１から落ちる。また、例えば除霜運転によって、熱交換器１に付着した霜を溶かした場合、溶解水が熱交換器１から落ちる。熱交換器１から落下したドレン水は、ドレンパン２の溝５に流れ落ちる。ドレンパン２の溝５に流れ落ちたドレン水は、図３の矢印で示すように、溝５の傾斜によって流れて排水口７から排出される。
【００１７】
ドレン水の水量が多い場合には、ドレン水は、その水量の力で溝５に設けられた傾斜に従って流れ、排水口７から外部に排出される。
一方、ドレン水の水量が少ない場合には、ドレン水の水量が多い場合のように、その水量の力では溝５に設けられた傾斜に従って流れることができない。ドレン水の水量が少ない場合には、ドレン水は、溝５に設けられた複数の突起６に接触することによって、表面張力で球状となり撥水化される。これによって、ドレン水は、ドレンパン２の溝５に設けられた傾斜に従って流れ、排水口７から外部に排出される。
【００１８】
以上のように本実施の形態１においては、ドレンパン２の溝５に、当該溝５の幅より小さい複数の突起６を一体形成した。このため、ドレンパン２の溝５に別部品を添付する必要がないので、経年変化等によって別部品の添付又は撥水効果が損なわれることを回避できる。よって、経年変化に影響されずにドレン水の凍結を抑制することができる。また、ドレン水の水量にかかわらず、ドレン水をドレンパン２から排出し易くすることができ、ドレン水の凍結を抑制することができる。
【００１９】
また、ドレンパン２の溝５に別部品を添付する必要がないため、材料費、およびその加工費を抑制することができ、安価な構成でドレン水の凍結を抑制することができる。
【００２０】
実施の形態２．
図５は、この発明の実施の形態２における空気調和機の室外機のドレンパンを示す平面図である。
図６は、図５におけるドレンパンのＡ−Ａ’断面図である。
図７は、図５におけるドレンパンの溝の要部拡大図である。
実施の形態２における溝５には、当該溝５の幅より小さい複数の孔８が形成されている。複数の孔８は、溝５の全面に形成されている。複数の孔８は、例えば図５に示すように、円形形状であり、図７に示すように、ドレンパン２の溝５を貫通する。この複数の孔８は、ドレンパン２を成形する際に同時に成形される。
その他の構成は、上記実施の形態１と同様であり同一部分には同一の符号を付する。
【００２１】
次に作用について説明する。
【００２２】
例えば暖房運転中に空気が熱交換器１を通過する際に、空気中の水分が凝縮して凝縮水となって熱交換器１から落ちる。また、例えば除霜運転によって、熱交換器１に付着した霜を溶かした場合、溶解水が熱交換器１から落ちる。熱交換器１から落下したドレン水は、ドレンパン２の溝５に流れ落ちる。ドレンパン２の溝５に流れ落ちたドレン水は、図６の矢印で示すように、溝５の傾斜によって流れて排水口７から排出される。
【００２３】
ドレン水の水量が多い場合には、ドレン水は、その水量の力で溝５に設けられた傾斜に従って流れ、溝５に設けられた複数の孔８からは殆ど排出されることなく、排水口７から外部に排出される。
一方、ドレン水の水量が少ない場合には、ドレン水の水量が多い場合のように、その水量の力では溝５に設けられた傾斜に従って流れることができない。ドレン水の水量が少ない場合には、ドレン水は溝５上にとどまるが、溝５に設けられた複数の孔８によって外部に排出される。
【００２４】
以上のように本実施の形態２においては、ドレンパン２の溝５に、当該溝５の幅より小さい複数の孔８を形成した。このため、ドレンパン２の溝５に別部品を添付する必要がないので、経年変化等によって別部品の添付又は撥水効果が損なわれることを回避できる。よって、経年変化に影響されずにドレン水の凍結を抑制することができる。また、ドレン水の水量にかかわらず、ドレン水をドレンパン２から排出し易くすることができ、ドレン水の凍結を抑制することができる。
【００２５】
また、ドレンパン２の溝５に別部品を添付する必要がないため、材料費、およびその加工費を抑制することができ、安価な構成でドレン水の凍結を抑制することができる。
【符号の説明】
【００２６】
１  熱交換器、２  ドレンパン、３  送風機、４  圧縮機、５  溝、６  突起、７  排水口、８  孔、１０  送風機室、１１  機械室、１２  セパレータ、１３  ベース、１４  脚部。
【図１】
2014126279.tif 000003
【図２】
2014126279.tif 000004
【図３】
2014126279.tif 000005
【図４】
2014126279.tif 000006
【図５】
2014126279.tif 000007
【図６】
2014126279.tif 000008
【図７】
2014126279.tif 000009